(57)【要約】【課題】駅や空港のロビー等の利用者がパソコン等の端末機の操作や飲食等を快適に行うことができるとともに、これらの利用者に自動販売機の利用を促すことのできる自動販売機店舗装置を提供する。【解決手段】任意の物品を販売する複数の自動販売機１０と、各自動販売機をその前面が外側に臨むように配置する配置ユニット２０と、任意の物品を載置可能なテーブル部２２とを備えているので、利用者がテーブル部２２を利用して端末機Ｐの操作や飲食を行うことができる。この場合、テーブル部２２は配置ユニット２０に一体に設けられているので、テーブル部２２の利用者が配置ユニット２０の各自動販売機１０を利用し易くなり、例えば自動販売機１０で購入した飲料Ａを飲みながら端末機Ｐを操作するなど、利用者の利便性を向上させることができる。【選択図】図１
2007286746.tif 000002
【特許請求の範囲】
【請求項１】
任意の物品を販売する少なくとも一台の自動販売機と、
自動販売機をその前面が外側に臨むように配置する配置ユニットと、
配置ユニットに一体に設けられ、任意の物品を載置可能なテーブル部とを備えた
ことを特徴とする自動販売機店舗装置。
【請求項２】
前記自動販売機を配置ユニットの前面側及び背面側にそれぞれ設けるとともに、テーブル部を配置ユニットの側方に設けた
ことを特徴とする請求項１記載の自動販売機店舗装置。
【請求項３】
前記配置ユニットの側面とテーブル部の上面とを互いに表面が連続するように一体に形成した
ことを特徴とする請求項２記載の自動販売機店舗装置。
【請求項４】
前記配置ユニットにゴミ収納部を設けた
ことを特徴とする請求項１、２または３記載の自動販売機店舗装置。
【請求項５】
前記テーブル部に載置した任意の端末機と通信可能な通信装置を備えた
ことを特徴とする請求項１、２、３または４記載の自動販売機店舗装置。
【請求項６】
前記通信装置によって端末機をインターネットに接続可能に構成した
ことを特徴とする請求項５記載の自動販売機店舗装置。
【請求項７】
少なくとも二台の自動販売機に接続され、これらの自動販売機内を冷却する冷却ユニットを備えた
ことを特徴とする請求項１、２、３、４、または６記載の自動販売機店舗装置。
【請求項８】
前記冷却ユニットを配置ユニット内に配置した
ことを特徴とする請求項７記載の自動販売機店舗装置。
【発明の詳細な説明】
【技術分野】
【０００１】
本発明は、例えば駅、空港、デパート、その他の公共施設等に設置され、飲料、食料品、雑貨等の任意の物品を販売する自動販売機店舗装置に関するものである。
【背景技術】
【０００２】
従来、飲料等を販売する自動販売機としては、前面を開口した自動販売機本体と、自動販売機本体の前面を開閉する外扉と、自動販売機本体内に設けられた商品収納庫と、商品収納庫内に設けられた商品収納コラムとを備え、外扉の前面に設けられた商品サンプルから選択した商品を商品選択ボタンの操作により販売するようにしたものが一般的である（例えば、特許文献１参照。）。
【特許文献１】特開２００４−２７２５８７号公報
【発明の開示】
【発明が解決しようとする課題】
【０００３】
ところで、駅や空港のロビー等には、飲料等を販売する自動販売機が設置されている場合が多く、利用者は自動販売機で飲料等の商品を購入することができる。また、駅や空港等ではノート型パソコン等の端末機を持ち歩く利用者も多く、例えば自動販売機で購入した飲料を飲みながら端末機を操作することができれば便利である。しかしながら、駅や空港等には端末機の操作や飲食に都合のよいテーブルが設置されている場合は少ないため、駅や空港のロビーでテーブルを使用したい利用者にとっては利便性が低く、自動販売機も利用されにくいという問題点があった。
【０００４】
本発明は前記問題点に鑑みてなされたものであり、その目的とするところは、駅や空港のロビー等の利用者がパソコン等の端末機の操作や飲食等を快適に行うことができるとともに、これらの利用者に自動販売機の利用を促すことのできる自動販売機店舗装置を提供することにある。
【課題を解決するための手段】
【０００５】
本発明は前記目的を達成するために、本発明の自動販売機店舗装置は、任意の物品を販売する少なくとも一台の自動販売機と、自動販売機をその前面が外側に臨むように配置する配置ユニットと、配置ユニットに一体に設けられ、任意の物品を載置可能なテーブル部とを備えている。
【０００６】
これにより、利用者は配置ユニットの自動販売機で飲料等の商品を購入することができる。また、例えばノート型パソコン等の端末機を携帯する利用者は、テーブル部を利用して端末機を操作することができる。この場合、テーブル部は配置ユニットに一体に設けられていることから、テーブル部の利用者が配置ユニットの自動販売機を利用し易くなる。従って、駅や空港のロビー等に設置した場合、利用者がパソコン等の端末機の操作や飲食等を快適に行うことができるとともに、これらの利用者に自動販売機の利用を促すことができる。
【発明の効果】
【０００７】
本発明の自動販売機店舗装置によれば、自動販売機が配置された配置ユニットにテーブル部が一体に設けられているので、テーブル部の利用者が配置ユニットの各自動販売機を利用し易くなり、例えば自動販売機で購入した飲料を飲みながら端末機を操作するなど、利用者の利便性を向上させることができる。
【発明を実施するための最良の形態】
【０００８】
図１乃至図５は本発明の一実施形態を示すもので、図１は自動販売機店舗装置の全体斜視図、図２はその一部断面平面図、図３はその右側面図、図４はその左側面図、図５は冷媒回路の構成図である。
【０００９】
この自動販売機店舗装置は、任意の物品を販売する二台の自動販売機１０と、各自動販売機１０をその前面が外側に臨むように配置する配置ユニット２０と、ノート型パソコン等の端末機Ｐと通信可能な通信装置３０と、各自動販売機１０に接続された冷却ユニット４０とを備えている。
【００１０】
各自動販売機１０は、前面を開口した自動販売機本体１１と、自動販売機本体１１の前面開口部を開閉する外扉１２とを備え、自動販売機本体１１内には、例えばサーペンタイン式コラム、コンベア式コラム、スパイラル式コラム等からなる商品収納コラム（図示せず）が設けられている。外扉１２の前面には、タッチパネル式のディスプレイ１３、硬貨投入口１４、金額表示部１５、硬貨返却口１６及び商品取出口１７が設けられ、ディスプレイ１３には商品サンプルや商品選択ボタンが画像によって表示されるようになっている。
【００１１】
配置ユニット２０は、箱状に形成されたユニット本体２１と、任意の物品を載置可能なテーブル部２２とを備え、ユニット本体２１の前面側及び背面側には各自動販売機１０がそれぞれ配置されている。ユニット本体２１は高さ寸法及び幅寸法を各自動販売機１０よりも大きく形成され、各自動販売機１０はその一部（前端側）がユニット本体２１の前面及び背面から外側に突出するように配置されている。テーブル部２２はユニット本体２１の一側面から幅方向に長く延設され、その長手方向一端をユニット本体２１によって支持されるとともに、長手方向中央及び他端をそれぞれ脚部２２ａ，２２ｂによって支持されている。テーブル部２２の上面は板状の上面部材２２ｃによって形成され、上面部材２２ｃの幅方向中央にはテーブル部２２の長手方向に延びる仕切部材２２ｄが設けられている。この場合、上面部材２２ｃは、その長手方向一端側が脚部２２ｂの側面まで連続して延びるように形成され、その長手方向他端側はユニット本体２１の一側面、上面及び他側面に亘って連続して延びるように形成されている。また、ユニット本体２１内には空き缶等のゴミを収容するゴミ収納部２３が設けられ、ゴミ収納部２３にはユニット本体２１の他側面に設けた投入口２３ａからゴミが投入されるようになっている。
【００１２】
通信装置３０は配置ユニット２０に設けられ、例えば無線ＬＡＮの親機等、端末機Ｐと無線で通信可能な周知の機器からなる。通信装置３０は、例えばインターネット用の電話回線に接続されており、端末機Ｐが通信装置３０を介してインターネットに接続可能になっている。
【００１３】
冷却ユニット４０は、図示しない圧縮機、凝縮器、膨張機構等の冷却機器を備え、配置ユニット２０内に配置されている。冷却ユニット４０は冷媒配管４１を介して各自動販売機１０の冷却器に接続され、これらの冷却器に低温冷媒を流通するようになっている。この場合、各自動販売機１０には、圧縮機、凝縮器、膨張機構等の冷却機器は設けられていない。
【００１４】
以上のように構成された自動販売機店舗装置は、例えば駅や空港のロビー等に設置され、利用者は店舗装置の各自動販売機１０で飲料等の商品を購入することができる。また、端末機Ｐを携帯する利用者は、店舗装置のテーブル部２２を利用して端末機Ｐを操作することができる。これにより、通信装置３０を介してインターネットに接続すれば、例えば列車の運行情報や駅周辺情報など、各種の情報を取得したり、或いは任意のホームページの閲覧や電子メールのやり取りなどを行うことができる。その際、テーブル部２２は配置ユニット２０に一体に設けられ、配置ユニット２０には各自動販売機１０が配置されていることから、テーブル部２２の利用者が各自動販売機１０を利用し易くなる。
【００１５】
このように、本実施形態の自動販売機店舗装置によれば、任意の物品を販売する複数の自動販売機１０と、各自動販売機をその前面が外側に臨むように配置する配置ユニット２０と、任意の物品を載置可能なテーブル部２２とを備えているので、利用者がテーブル部２２を利用して端末機Ｐの操作や飲食を行うことができる。この場合、テーブル部２２は配置ユニット２０に一体に設けられているので、テーブル部２２の利用者が配置ユニット２０の各自動販売機１０を利用し易くなり、例えば自動販売機１０で購入した飲料Ａを飲みながら端末機Ｐを操作するなど、利用者の利便性を向上させることができる。従って、駅や空港のロビー等に設置した場合、利用者が端末機Ｐの操作や飲食等を快適に行うことができるとともに、これらの利用者に自動販売機１０の利用を促すことができる。
【００１６】
また、各自動販売機１０を配置ユニット２０の前面側及び背面側にそれぞれ設けるとともに、テーブル部２２を配置ユニット２０の側方に設けたので、配置ユニット２０の前方及び後方の何れからでも自動販売機１０及びテーブル部２２を利用することができ、例えば駅の通路の中央に設置する場合に有利である。
【００１７】
更に、配置ユニット２０の側面とテーブル部２２の上面とを互いに表面が連続するように一体に形成したので、配置ユニット２０とテーブル部２２との一体感を強調することができ、配置ユニット２０の各自動販売機１０に対し、テーブル部２２の利用者の購買欲を促すことができる。
【００１８】
また、配置ユニット２０の側面にゴミ収納部２３を設けたので、別途ゴミ箱を設置する必要がなく、ゴミ箱によって美観を損なうことがないという利点がある。
【００１９】
更に、テーブル部２２に載置した任意の端末機Ｐと接続可能な通信装置３０を備え、通信装置３０によって端末機Ｐをインターネットに接続可能に構成したので、インターネットを介して情報の取得や電子メールのやり取りなどを行いたい利用者にとって便利である。尚、インターネットとは別に、駅や空港等の施設に設けられた専用サーバに接続することにより、列車の運行情報や駅周辺情報などを提供するようにしてもよい。
【００２０】
また、各自動販売機１０内を一台の冷却ユニット４０によって冷却するようにしたので、各自動販売機１０ごとに冷却器以外の冷却機器を備える必要がなく、店舗装置全体の低コスト化を図ることができる。この場合、冷却ユニット４０を配置ユニット２０内に配置したので、冷却ユニット９０が外部から見えることがなく、美観を損なうことがないという利点がある。
【図面の簡単な説明】
【００２１】
【図１】本発明の一実施形態を示す自動販売機店舗装置の全体斜視図
【図２】自動販売機店舗装置の一部断面平面図
【図３】自動販売機店舗装置の右側面図
【図４】自動販売機店舗装置の左側面図
【図５】冷媒回路の構成図
【符号の説明】
【００２２】
１０…自動販売機、２０…配置ユニット、２２…テーブル部、２３…ゴミ収納部、３０…通信装置、４０…冷却ユニット。
【図１】
2007286746.tif 000003
【図２】
2007286746.tif 000004
【図３】
2007286746.tif 000005
【図４】
2007286746.tif 000006
【図５】
2007286746.tif 000007